【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定工程と（√（）は括弧内の値の平方根を示す。以下同様。）、
前記測定工程で得た合計値の音響インテンシティー波形におけるピークが音源を表していると仮定して、そのピークを時間窓幅ごとに抽出し、その抽出されたピークから音源の大きさ及び距離を算出する音源の第１抽出工程と、
前記測定工程で得た合計値のピーク幅を推定して、そのピーク幅に対応する前記音響インテンシティーＩx，Ｉy，Ｉzにおけるピーク幅内の大きさの符号付の平均値を算出し、前記音響インテンシティーＩx，Ｉy，Ｉzにおけるピーク幅内の符号付の平均値と前記第１抽出工程で得た音源の距離とから音源の座標を推定する音源座標の第１推定工程と、
を備える音源の検出方法。
【請求項２】
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定工程と、
前記測定工程で得た合計値の音響インテンシティーを音源インテンシティー成分と浮遊インテンシティー成分に区別する空間移動速度の閾値を設定し、前記合計値の音響インテンシティーから前記閾値以下の空間移動速度になる音源インテンシティー成分を切り出すか、又は、前記合計値の音響インテンシティーを音圧で除して得られる音響粒子速度の合計値から前記閾値以下の空間移動速度になる当該音響粒子速度の到来時間と対応する音源インテンシティー成分を前記合計値の音響インテンシティーから切り出し、その切り出された一片として含まれる音源インテンシティー成分の強さ及び到来時間の平均値を算出して音源の大きさ及び距離とする音源の第２抽出工程と、
前記第２抽出工程で切り出された音源インテンシティー成分の一片と同じ時間幅に含まれる音響インテンシティーＩx，Ｉy，Ｉzを切り出し、その切り出した音響インテンシティーＩx，Ｉy，Ｉzの符号付の大きさの平均値を算出し、前記音響インテンシティーＩx，Ｉy，Ｉzの符号付の平均値と前記第２抽出工程で得た音源の距離とから音源の座標を推定する音源座標の第２推定工程と、
を備える音源の検出方法。
【請求項３】
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定手段と、
前記測定手段で得た合計値の音響インテンシティー波形におけるピークが音源を表していると仮定して、そのピークを時間窓幅ごとに抽出し、その抽出されたピークから音源の大きさ及び距離を算出する音源の第１抽出手段と、
前記測定手段で得た合計値のピーク幅を推定して、そのピーク幅に対応する前記音響インテンシティーＩx，Ｉy，Ｉzにおけるピーク幅内の大きさの符号付の平均値を算出し、前記音響インテンシティーＩx，Ｉy，Ｉzにおけるピーク幅内の符号付の平均値と前記第１抽出手段で得た音源の距離とから音源の座標を推定する音源座標の第１推定手段と、
を備える音源の検出装置。
【請求項４】
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定手段と、
前記測定手段で得た合計値の音響インテンシティーを音源インテンシティー成分と浮遊インテンシティー成分に区別する空間移動速度の閾値を設定し、前記合計値の音響インテ
ンシティーから前記閾値以下の空間移動速度になる音源インテンシティー成分を切り出すか、又は、前記合計値の音響インテンシティーを音圧で除して得られる音響粒子速度の合計値から前記閾値以下の空間移動速度になる当該音響粒子速度の到来時間と対応する音源インテンシティー成分を前記合計値の音響インテンシティーから切り出し、その切り出された一片として含まれる音源インテンシティー成分の強さ及び到来時間の平均値を算出して音源の大きさ及び距離とする音源の第２抽出手段と、
前記第２抽出手段で切り出された音源インテンシティー成分の一片と同じ時間幅に含まれる音響インテンシティーＩx，Ｉy，Ｉzを切り出し、その切り出した音響インテンシティーＩx，Ｉy，Ｉzの符号付の大きさの平均値を算出し、前記音響インテンシティーＩx，Ｉy，Ｉzの符号付の平均値と前記第２抽出手段で得た音源の距離とから音源の座標を推定する音源座標の第２推定手段と、
を備える音源の検出装置。
【手続補正２】
【補正対象書類名】明細書
【補正対象項目名】０００２
【補正方法】変更
【補正の内容】
【０００２】
三次元空間における音の振る舞いを測定する手法としては、以下に例示する方法が知られている。
例えば、直交する３軸方向（ｘ，ｙ，ｚの軸方向）に対する音響インテンシティーを測定し、その測定結果を利用することにより、どの方向からどのタイミングでどのような音が到来しているかというようにコンサートホールの反射音などを解析する方法１（下記非特許文献１、図１５参照）がある。
一方、音響インテンシティーではなく音圧を測定することにより、コンサートホールの反射音などを解析する方法２（下記非特許文献２、図１６参照）と方法３（下記非特許文献３、図１７参照）もある。
【手続補正３】
【補正対象書類名】明細書
【補正対象項目名】０００９
【補正方法】変更
【補正の内容】
【０００９】
この検出方法４を試行したときの結果の一例を図２０に示す。
この結果の一例では、推定対象としている実音源Ｓ1を、図２０に示されるようにｙ軸上（ｘ＝０，ｚ＝０となる位置）に配置した設定としている。このため、このときのｘ方向とｚ方向における音響インテンシティーＩx，Ｉzは、本来Ｉx＝０、Ｉz＝０になるはずである。
ところが、測定の結果では、音響インテンシティーＩx，Ｉzに多少の残差波形が確認されている。
したがって、この「ピーク検知」を用いた検出方法４では、それらの残差波形のピークをｘ方向及びｚ方向の座標として誤って認識することになる。この結果、最終的には、図２０に示されるように、検出（推定）した音源Ｓ1の位置（黒丸）が、ｙ軸上にあるはずの実音源Ｓ1の正規の位置（白丸）からずれた場所に推定されてしまうことになる。このような結果は、音源位置の推定精度としては低い結果であると言わざるを得ない。
【手続補正４】
【補正対象書類名】明細書
【補正対象項目名】００１３
【補正方法】変更
【補正の内容】
【００１３】
この発明（Ａ１）音源の検出方法は、
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定工程と（√（）は括弧内の値の平方根を示す。以下同様。）、
前記測定工程で得た合計値の音響インテンシティー波形におけるピークが音源を表していると仮定して、そのピークを時間窓幅ごとに抽出し、その抽出されたピークから音源の大きさ及び距離を算出する音源の第１抽出工程と、
前記測定工程で得た合計値のピーク幅を推定して、そのピーク幅に対応する前記音響インテンシティーＩx，Ｉy，Ｉzにおけるピーク幅内の大きさの符号付の平均値を算出し、前記音響インテンシティーＩx，Ｉy，Ｉzにおけるピーク幅内の符号付の平均値と前記第１抽出工程で得た音源の距離とから音源の座標を推定する音源座標の第１推定工程と、
を備えるものである。
【手続補正５】
【補正対象書類名】明細書
【補正対象項目名】００１５
【補正方法】変更
【補正の内容】
【００１５】
一方、この発明（Ｂ１）の音源の検出装置は、
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定手段と、
前記測定手段で得た合計値の音響インテンシティー波形におけるピークが音源を表していると仮定して、そのピークを時間窓幅ごとに抽出し、その抽出されたピークから音源の大きさ及び距離を算出する音源の第１抽出手段と、
前記測定手段で得た合計値のピーク幅を推定して、そのピーク幅に対応する前記音響インテンシティーＩx，Ｉy，Ｉzにおけるピーク幅内の大きさの符号付の平均値を算出し、前記音響インテンシティーＩx，Ｉy，Ｉzにおけるピーク幅内の符号付の平均値と前記第１抽出手段で得た音源の距離とから音源の座標を推定する音源座標の第１推定手段と、
を備えるものである。
【手続補正６】
【補正対象書類名】明細書
【補正対象項目名】００１６
【補正方法】変更
【補正の内容】
【００１６】
また、この発明（Ｂ２）の音源の検出装置は、
音場において受音点で直交する３軸方向（ｘ，ｙ，ｚ）の音響インテンシティーＩx，Ｉy，Ｉz［Ｗ／ｍ2］を測定し、それらの合計値であるＩall＝√（Ｉx2＋Ｉy2＋Ｉz2）を算出する音響インテンシティーの測定手段と、
前記測定手段で得た合計値の音響インテンシティーを音源インテンシティー成分と浮遊インテンシティー成分に区別する空間移動速度の閾値を設定し、前記合計値の音響インテ
ンシティーから前記閾値以下の空間移動速度になる音源インテンシティー成分を切り出すか、又は、前記合計値の音響インテンシティーを音圧で除して得られる音響粒子速度の合計値から前記閾値以下の空間移動速度になる当該音響粒子速度の到来時間と対応する音源インテンシティー成分を前記合計値の音響インテンシティーから切り出し、その切り出された一片として含まれる音源インテンシティー成分の強さ及び到来時間の平均値を算出して音源の大きさ及び距離とする音源の第２抽出手段と、
前記第２抽出手段で切り出された音源インテンシティー成分の一片と同じ時間幅に含まれる音響インテンシティーＩx，Ｉy，Ｉzを切り出し、その切り出した音響インテンシティーＩx，Ｉy，Ｉzの符号付の大きさの平均値を算出し、前記音響インテンシティーＩx，Ｉy，Ｉzの符号付の平均値と前記第２抽出手段で得た音源の距離とから音源の座標を推定する音源座標の第２推定手段と、
を備えるものである。
【手続補正７】
【補正対象書類名】明細書
【補正対象項目名】００３４
【補正方法】変更
【補正の内容】
【００３４】
（音源位置の第１推定手段及び第１推定工程）
音源位置の第１推定手段４Ａは、図１に示されるように、測定手段２及びその測定工程で得た合計値Ｉallのピーク幅を推定する推定部４１と、そのピーク幅に対応する音響インテンシティーＩx，Ｉy，Ｉzにおけるピーク幅内の符号付の大きさの平均値を算出する算出部４２と、音響インテンシティーＩx，Ｉy，Ｉzにおけるピーク幅内の符号付の大きさの平均値と第１抽出手段３Ａ及び工程で得た音源の距離とから音源の座標を推定
する推定部４３とを有している。
また、音源の検出方法では、図２に示されるように、この推定部４１の処理と算出部４２の処理と推定部４３の処理とをステップ１４〜１６（Ｓ１４〜Ｓ１６）としてこの順で行い、このステップ１４〜１６で示す３つの処理工程を併せて音源位置の第１推定工程としている。
【手続補正８】
【補正対象書類名】明細書
【補正対象項目名】００３５
【補正方法】変更
【補正の内容】
【００３５】
推定部４１は、音響インテンシティーの合計値Ｉallのピーク幅を推定する処理を行う部分である。
このピーク幅の推定は、例えば、合計値の音響インテンシティー波形において、時間窓幅Δｔの間隔ごとに抽出される各ピークの前後で盛り上がる波形部分の始点と終点の間をピーク幅として推定する。具体的には、上記音響インテンシティー波形において、時間窓幅Δｔの間隔ごとの各ピークから時間軸上を前後に移動させたときに波形の変化量（傾きなど）が再度緩やかになる前後２箇所の時刻を解析し、その前後２箇所の時刻で挟まれる波形部分をピーク幅として得ることができる。
この推定部４１の推定処理により、図３の右側部分の上部や図５の中央部に示されるように、一点鎖線で挟まれる部分が、時間窓幅Δｔの間隔ごとの各ピークに対するピーク幅としてそれぞれ求められる。
【手続補正９】
【補正対象書類名】明細書
【補正対象項目名】００３８
【補正方法】変更
【補正の内容】
【００３８】
（音源位置の検出結果）
図５の右側部分に示されている一部の結果から、実施の形態１に係る音源の検出方法（その検出装置１Ａ）、すなわち別称の「改良型ピーク検知」を用いて音響インテンシティーから音源情報を検出する方法によれば、次のことがわかる。
すなわち、この検出方法では、ｘ方向及びｚ方向の音響インテンシティーＩx，Ｉzに測定誤差による残差波形が存在するものの（図５の中央部分）、前述した「ピーク検知」を用いて音響インテンシティーから音源情報を検出する方法４とは異なり、ピーク幅の大きさの平均値を適用しているため、ｘ方向及びｚ方向の音響インテンシティーＩx，Ｉzがいずれも、その残差波形における特定の値に支配されることがなく、ほぼゼロの値（座標）として認識できていることがわかる。
【手続補正１０】
【補正対象書類名】明細書
【補正対象項目名】００３９
【補正方法】変更
【補正の内容】
【００３９】
この結果、このときに検出（推定）した音源Ｓ1の位置（黒丸）は、図５の右側部分に一部の結果として示されているとおり、ｙ軸上にあるはずの音源Ｓ1の正規の位置（白丸）とほぼ一致した場所に推定されるようになる。つまり、この検出方法によれば、上記検出する方法４の場合（図２０参照）に比べて、音源Ｓ1の位置が精度よくｙ軸上に推定されており、音源の座標の推定精度が改善されていることがわかる。
したがって、この検出方法及びその検出装置１Ａでは、音源の位置を的確に検出することができる。
【手続補正１１】
【補正対象書類名】明細書
【補正対象項目名】００５２
【補正方法】変更
【補正の内容】
【００５２】
（音源の第２抽出手段及び第２抽出工程）
第２抽出手段３Ｂは、図６に示されるように、測定手段２及びその測定工程で得た合計値Ｉallの音響インテンシティーを前記仮定の音源インテンシティー成分と浮遊インテンシティー成分に区別する空間移動速度の閾値Ｖｓを設定する設定部３５と、合計値Ｉallの音響インテンシティーから閾値Ｖｓ以下の空間移動速度になる音源インテンシティー成分を切り出すか、又は、合計値Ｕallの音響粒子速度から閾値Ｖｓ以下の空間移動速度になる当該音響粒子速度の到来時間と対応する音源インテンシティー成分を合計値Ｉallの音響インテンシティーから切り出す切り出し部３６と、その切り出された一片として含まれる音源インテンシティー成分の強さ及び到来時間の平均値を算出して音源の大きさ及び距離とする算出部３７とを有している。
また、音源の検出方法では、図７に示されるように、この設定部３５の処理と切り出し部３６の処理と算出部３７の処理とをステップ２２〜２４（Ｓ２２〜Ｓ２４）としてこの順で行い、このステップ２２〜２４で示す３つの処理工程を併せて音源の第２抽出工程としている。
【手続補正１２】
【補正対象書類名】明細書
【補正対象項目名】００５４
【補正方法】変更
【補正の内容】
【００５４】
切り出し部３６は、合計値Ｉallの音響インテンシティーから閾値Ｖｓ以下になる音源インテンシティー成分を切り出す処理を行う部分である。
この音源インテンシティー成分の切り出しは、以下のように行われる。
はじめに、合計値Ｉallの音響インテンシティー又は音響粒子速度の合計値Ｕallから閾値Ｖｓ以下の空間移動速度になる音響インテンシティー又は音響粒子速度の到来時間、すなわち音源インテンシティー成分の到来時間を抽出する。
この音源インテンシティー成分の到来時間の抽出に際しては、まず、音響インテンシティーの合計値Ｉallにおける或る時刻の座標から次の時刻の座標への移動距離、又は音響
粒子速度の合計値Ｕallにおける或る時刻の座標から次の時刻の座標への移動距離を算出する。例えば、サンプリング周波数が４８，０００[Ｈｚ]の条件で測定を実施した場合、ある時刻から次の時刻への最小の時間間隔は１／４８，０００[秒]となる。
続いて、上記移動距離を移動時間で除して音響インテンシティー又は音響粒子速度の空間移動速度を算出する。この算出で得られる空間移動速度が閾値Ｖｓ以下の小さい値になった場合、そのときの時刻を「ｔs」とする。また、上記音響インテンシティー又は音響粒子速度の空間移動速度の算出を同様に続ける。この続けた算出で得られる空間移動速度が閾値Ｖｓよりも大きい値になった場合、そのときの時刻を「ｔe」とする。このときの時刻ｔsから時刻ｔeまでの時間が上記抽出すべき音源インテンシティー成分の到来時間になる。
最後に、この抽出された上記時刻ｔsから上記時刻ｔeまでの到来時間に含まれる音響インテンシティーの合計値Ｉallを切り出す。
ここで、この切り出された合計値Ｉall群を「合計値Ｉallの音響インテンシティーの一片」と呼ぶこととする。また、このときの合計値Ｉallの音響インテンシティーの一片は、全て音源インテンシティー成分で構成されており、或る一つの音源を表していることになる。
【手続補正１３】
【補正対象書類名】明細書
【補正対象項目名】００５７
【補正方法】変更
【補正の内容】
【００５７】
算出部３７では、このようにして算出された音源インテンシティー成分の強さ及び到来時間の平均値を、最終的に各音源（Ｓ1，Ｓ2，Ｓ3，Ｓ4，・・・）の大きさ及び距離とす
る。ここでいう音源の大きさ及び距離とは、実施の形態１における音源の第１抽出手段３Ａ及びその抽出工程で算出されるときの音源の大きさ及び距離と同じ概念のものである。
図９には、各音源（Ｓ1，Ｓ2，Ｓ3，Ｓ4，・・・）の大きさ（強度の平均値）を「○」の白丸で示している。
【手続補正１４】
【補正対象書類名】明細書
【補正対象項目名】００６１
【補正方法】変更
【補正の内容】
【００６１】
推定部４７は、算出部４６で得た音響インテンシティーＩx，Ｉy，Ｉzの大きさの平均値と第２抽出手段３Ｂ及びその抽出工程で得た音源の距離とから音源の座標を推定する処理を行う部分である。
音源の座標の推定は、例えば、音源Ｓ1に対応するx，y，z方向のＩx，Ｉy，Ｉzの符号付の平均値として、それぞれ＋ｘ1、＋ｙ1、＋ｚ1が得られている場合、原点からの方位（＋ｘ1、＋ｙ1、＋ｚ1）に対して、算出部３７で算出した音源Ｓ1の到来時間の平均taveに音速を乗した値、すなわち音源距離ほど離れた地点として推定される。
この推定部４７の推定処理により、図１０の右側部分に一部の結果が示されるように、
推定対象の実音源Ｓ1の推定した座標（図中の黒丸）は、実音源Ｓ1の正規の位置（白丸）であるｙ軸上の２ｍの位置（ｘ＝０、ｚ＝０）とほぼ一致していることがわかる。
【手続補正１５】
【補正対象書類名】明細書
【補正対象項目名】００８５
【補正方法】変更
【補正の内容】
【００８５】
この試験では、コンサートホールのステージに設置した全指向性スピーカー（実音源）から周波数掃引音（スイープ正弦波）を再生し、実音源から観客席に設置した受音点へのインパルス応答を測定し、上記Ｐ−Ｐ法により３軸方向の音響インテンシティーを算出した。そして、その音響インテンシティーの測定結果（図１４の左端部分に示す結果）を同様に利用して上記各検出方法により音源（虚音源）の位置をそれぞれ推定した。この推定された複数の音源の位置を、図１４の左端を除く右側部分のｘ−ｙ平面における円形の内外に併せて示している。
【手続補正１６】
【補正対象書類名】図面
【補正対象項目名】図１
【補正方法】変更
【補正の内容】
【図１】
2018136170.tif 000001